(57)【特許請求の範囲】
【請求項１】
開閉扉２の自由端部に枢着されたガードアーム５が開口枠１に固定的に設けられた受け杆装置４の受け杆１４に係合し、開閉扉の開放角度を制限する扉の補助錠３に於いて、前記ガードアームに第１磁性体９を固着し、一方、前記受け杆装置の収納体１１に第１磁性体の極性に対応して反発する第２磁性体２２を有するリンク部材１３を内装し、このリンク部材１３のレバー１９は前記受け杆１４に枢着され、前記ガードアーム５が受け杆装置の前壁１２から離れた場合、受け杆１４は収納体に内装されたバネ部材１５のバネ力により収納体内を後退し、一方、ガードアームを施錠の位置へと回転した場合、リンク部材１３は第１磁性体９と第２磁性体２２との反発力により前記バネ部材のバネ力に抗して作動し、受け杆１４はガードアームの挿通部７に入り込むことを特徴とする扉の補助錠。
【請求項２】
請求項１に於いて、この受け杆装置４の収納体１１は、嵌合凹所１７を有する前壁１２と、この前壁に固定的に取付けられた案内箱１６とから成り、ガードアーム５が受け杆装置４の前壁１２から離れた場合、受け杆１４の頭部１４ａは、収納体内で作動するリンク部材１３を介し、前記嵌合凹所１７に嵌合することを特徴とする扉の補助錠。
【請求項３】
請求項１に於いて、リンク部材１３は、受け杆１４の後端部１４ｂに一端部が可動ピン１８を介して枢支されたレバー１９と、このレバー１９の他端部に後端部が可動の枢支ピン２０を介して枢着されたアーム２１と、このアーム２１の先端部に固定的に設けられた第２磁性体２２とから成ることを特徴とする扉の補助錠。
【請求項４】
請求項３に於いて、アーム２１は、収納体１１の前壁１２の内壁面に固定的に設けられた支持板２５に第２磁性体２２を介して略水平状態に支持されていることを特徴とする扉の補助錠。。
【発明の詳細な説明】
【０００１】
【発明の属する技術分野】
本発明は扉の補助錠に関する。この補助錠は、居住者が来訪者の確認のため扉を一部開放する場合に使用される。
【０００２】
【従来の技術】
従来、この種の扉の補助錠の一例とて、開口枠の縦枠に固定的に設けられ、かつ、水平方向に出没する受け杆を収容する受け杆装置と、一方、開閉扉の自由端部に取付けられ、開閉扉の閉鎖時に受け杆装置側へ手動で回転された後に前記受け杆と係合可能なガードアームとから成り、前記受け杆はガードアームを施錠の位置へと回転した時に、ガードアームの内壁面に押される受け杆装置側の作動突起及び連動レバーを介してガードアームの挿通部に入り込むものがある。
【０００３】
この実施例は、ガードアームを施錠の位置へと回転した時に受け杆が自動的に突出すると言う利点を有する反面、ガードアームを受け杆装置の前壁に押し当てないと、受け杆の頭部はガードアームの挿通部を完璧に貫通しないと言う欠点があった。またガードアームに押圧される作動突起及び連動レバーを組合わせている関係上、ガードアームの上下の幅を幅広に形成しなければならず、ガードアームの小片化を図ることが困難であると言う欠点があった。さらに、施錠時以外は、受け杆の頭部並びに作動突起が受け杆装置の前壁から突出していると言う欠点も問題があった。
【０００４】
【発明が解決しようとする課題】
本発明の第１の目的は、ガードアームを施錠の位置へと回転した時に受け杆が自動的に突出すると言う従来の利点を達成することができることである。また本発明の第２の目的は、ガードアームの小片化を図ることが容易であることである。さらに、本発明の第３の目的は、施錠時以外受け杆装置を構成する部材の一部が前壁から突出しないことである。
【０００５】
【課題を解決するための手段】
本発明の扉の補助錠は、開閉扉２の自由端部に枢着されたガードアーム５が開口枠１に固定的に設けられた受け杆装置４の受け杆１４に係合し、開閉扉の開放角度を制限する扉の補助錠３に於いて、前記ガードアームに第１磁性体９を固着し、一方、前記受け杆装置の収納体１１に第１磁性体の極性に対応して反発する第２磁性体２２を有するリンク部材１３を内装し、このリンク部材１３のレバー１９は前記受け杆１４に枢着され、前記ガードアーム５が受け杆装置の前壁１２から離れた場合、受け杆１４は収納体に内装されたバネ部材１５のバネ力により収納体内を後退し、一方、ガードアームを施錠の位置へと回転した場合、リンク部材１３は第１磁性体９と第２磁性体２２との反発力により前記バネ部材のバネ力に抗して作動し、受け杆１４はガードアームの挿通部７に入り込むことを特徴とする。
【０００６】
上記構成に於いて、受け杆装置４の収納体１１は、嵌合凹所１７を有する前壁１２と、この前壁に固定的に取付けられた案内箱１６とから成り、ガードアーム５が受け杆装置の前壁から離れた場合、受け杆１４の頭部１４ａは、収納体内で作動するリンク部材１３を介し、前記嵌合凹所に嵌合することを特徴とする。
【０００７】
【発明の実施の形態】
図面に示す本発明の実施の形態を建物の出入り口の開口枠と開閉扉との関係で説明する。図１乃至図８に於いて、１は建物の出入り口の開口枠である。２はこの開口枠１に対して設けられた開閉扉である。３は開口枠１及び開閉扉２にそれぞれ組合わせ構成部材が取付けられ、居住者の安全のために開閉扉２の開放度合い制限する補助錠である。したがって、開閉扉２には図示しない主たる錠装置が取付けられている。
【０００８】
補助錠３は、開口枠１の縦枠１ａに固定的に設けられ、かつ、水平方向に出没する受け杆を収容する受け杆装置４と、一方、開閉扉２の自由端部に取付けられ、開閉扉の閉鎖時に受け杆装置側（施錠の位置）へ手動で回転された後に前記受け杆と係合可能なガードアーム５とから成る。本発明の補助錠３は、この受け杆装置４とガードアーム５の両方に特徴がある。
【０００９】
そこで、まずガードアーム５について説明する。ガードアーム５は開閉扉２の自由端部の内壁面にネジ止めされた固定片６に基端部が枢支され、その一側面が受け杆装置４の収納体に対向できるように水平方向に回転する。しかして、７は受け杆の頭部が挿通可能な挿通部で、この挿通部７には摺動する受け杆を案内する係止長孔部８が連通している。
【００１０】
９はガードアーム５の基端部寄りの部位に設けられた複数個の第１磁性体である。これらの第１磁性体９は、図６乃至図８で示すようにガードアーム５内にそれぞれカシメ固定され、上下に一対設けられている。これらの第１磁性体９、９は、開閉扉２の閉鎖時にガードアーム５が受け杆装置４側に回転すると、丁度受け杆を中心として上下に位置し、かつ、受け杆装置４の収納体の前壁に接触可能に対向する。
【００１１】
次に受け杆装置４について説明する。この受け杆装置４は前述したように開口枠１の縦枠１ａ内に固定的に設けられ、そのボックス状収納体１１の前壁１２は、望ましくは図１又は図４で示すように縦枠１ａから突出しない。
【００１２】
この受け杆装置４は、ボックス状収納体１１と、この収納体１１内に枢支されかつ第２磁性体を有するリンク部材１３と、頭部１４ａは収納体１１の前壁１２から突出すると共に、後端部１４ｂはリング部材に枢着された受け杆１４と、収納体１１に適宜に内装され、かつ、ガードアーム５側の第１磁性体９並びに受け杆装置側の第２磁性体の反発力よりもバネ力が小さく設定された受け杆用復帰バネ１５とから構成されている。
【００１３】
しかして、前記ボックス状収納体１１は、図３で示すように前壁１２と、この前壁１２の内壁面に固定的に取付けられる上下の垂直固定部１６ａ、１６ａ、これらの垂直固定部１６ａ、１６ａと連設する矩形筒部１６ｂ及び矩形筒部を閉鎖する垂直後端部１６ｃをそれぞれ有する案内箱１６とから成る。本実施例では前壁１２は硬質合成樹脂製、アルミニューム製など非磁性体の金属板で形成されている。
【００１４】
そして、前壁１２の中央部には受け杆１４の頭部１４ａが嵌合する嵌合凹所１７が形成され、この嵌合凹所１７の内面の中央部には受け杆１４の首部を案内する貫通孔１７ａが設けられている。受け杆１４の頭部１４ａは、該受け杆１４が復帰バネ１５によりリンク部材１３を介して復帰すると、丁度嵌合凹所１７に入り込み、前壁１２から略突出しない。
【００１５】
また前記リンク部材１３は、図２及び図４で示すように受け杆１４の後端部１４ｂに一端部が可動ピン１８を介して枢支された上下一対のレバー１９、１９と、これらのレバー１９、１９の他端部にそれぞれ可動の枢支ピン２０、２０を介して枢着された上下一対のアーム２１、２１と、これらのアーム２１、２１の先端部にそれぞれ固定的に設けられた板状の第２磁性体２２、２２とから成る。
【００１６】
しかして、前記レバー１９の一端部には案内長孔２３が形成されていると共に、該レバー１９の中央部乃至中央部寄りの部位は、案内箱１６の矩形筒部１６ｂに横架された固定軸２４により枢支されている。また前記アーム２１は、本実施例では収納体１１の前壁１２の内壁面に固定的に設けられた上下一対の支持板２５、２５に第２磁性体２２を介して略水平状態に支持されている。なお、前記支持板２５は前壁１２に対してやや斜めに設けられている。
【００１７】
さらに前記第２磁性体２２は、ガードアーム５側の第１磁性体９に対して同極（互いに反発し合う極）になるように配設されていると共に、本実施例ではアーム２１と交差するように長板状に形成され、図２で示すようにガードアーム５が離れている時は前壁１２の内壁面と当接する。
【００１８】
また受け杆用復帰バネ１５は、本実施例ではコイルバネが使用され、このコイルバネの端部は案内箱１６の垂直後端部１６ｃの突起１６ｄとリンク部材１３のアーム２１の後端部にそれぞれ連結され、或いは嵌合している。
【００１９】
次に２６は受け杆１４の首部の後端部１４ｂ寄りの部位に固定的に嵌着した筒状ストッパーで、このストッパー２６は半径方向に形成されたメネジに螺合する固定手段としてのオネジ２７により受け杆１４の所望する部位に止着されている。
【００２０】
上記構成に於いて、図１で示すようにガードアーム５が受け杆装置４の前壁１２から離れた場合、図２で示すように受け杆装置４の受け杆１４は、復帰バネ１５のバネ力により、リンク部材１３を介して収納体１１の内部に自動的に後退し、その頭部１４ａは前壁１２の嵌合凹所１７内に嵌合する。この場合受け杆１４の頭部１４ａは前壁１２或いは縦枠１ａから突出しない。
【００２１】
一方、図５で示すようにガードアーム５が受け杆装置４の収納体１１の前壁１２に位置した場合、すなわち、居住者が補助錠３を施錠するために手動でそのガードアーム５を施錠の位置へと回転した場合には、図６及び図７で示すようにガードアーム５の上下の第１磁性体９、９は、受け杆装置４の前壁１２と対向する。そうすると、リンク部材１３の第２磁性体２２は前記第１磁性体の極性に対応して反発し、リンク部材１３のアーム２１は復帰バネ１５のバネ力に抗して案内箱１６内を後退する。この時アーム２１の第２磁性体２２は支持板２５の上面をスライドする。
【００２２】
しかして、磁性体同志の反発力によりリンク部材１３の上下レバー１９、１９は固定軸２４、２４を支点に回転し、その結果、受け杆１４は前壁１２の嵌合凹所１７から突出すると共に、ガードアーム５の挿通部７に自動的に入り込む。この時受け杆１４の頭部１４ａは前記挿通部７を多少余裕を持った状態で貫通する。
【００２３】
そこで、開閉扉２を開くと、該開閉扉２と共にガードアーム５も移動するが、この時ガードアーム５の係止長孔部８内に受け杆１４の首部が入り込むや否や、受け杆１４の頭部１４ａはガードアーム５の係止長孔部８側に確実に係止される。すなわち、この場合開閉扉２を開き、その結果、ガードアーム５の第１磁性体９、９が収納箱１１内の第２磁性体２２から離れると反発力が解消するので、受け杆１４は復帰する復帰バネ１５により多少後退し、その頭部１４ａはガードアーム５の係止長孔部８側に確実に係止される。
【００２４】
【実施例】
まず発明の実施の形態で説明した実施例に於いて、磁性体９としては図８で示すように磁石が使用される。磁性体９はガードアーム５の基端部寄りの内部に埋設されているが、必ずしも埋設する必要はなく、例えばガードアーム５の基端部寄りの内壁面に板状の磁性体を固定的に設けても良い。また磁性体９はガードアーム５に合計２個設けられているが、リンク部材１３を作動させることが可能であれば１個でも良い。またバネ部材の一例としての復帰バネ１５は、リンク部材１３のアーム２１と案内箱１６の垂直後端部１６ｃとの間に設けられているが、リンク部材１３ではなく、受け杆１４の後端部１４ａと前記垂直後端部１６ｃとの間に設けても良い。この場合のバネ部材は引っ張りバネとして用いられる。また復帰バネ１５は、収納体１１の前壁１２とリンク部材１３のレバー１９に取付けても良い。
【００２５】
またリンク部材１３は、受け杆１４の後端部１４ｂに一端部が可動ピン１８を介して枢支されたレバー１９と、このレバー１９の他端部に後端部が可動の枢支ピン２０を介して枢着されたアーム２１と、このアーム２１の先端部に固定的に設けられた第２磁性体２２とから成るのであれば、前記レバー１９やアーム２１はそれぞれ１個であっても良い。またリンク部材１３のレバー１９は、設計如何によってはバー状ではなく、「く」の字型に形成しても良い。この場合固定軸２４の位置を変えることによりアーム２１の寸法を短くするのが望ましい。
【００２６】
さらに、リンク部材１３のアーム２１を支持する部材は、必ずしも前壁１３の内壁面に固定された支持板２５である必要はなく、案内箱１６に横架された支持バーでも、或いは案内箱１６の矩形筒部１６ｂの内壁面に形成されたガイド部であっても良い。なお、ガードアーム５の基端部は多少湾曲形成しても良い。
【００２７】
【発明の効果】
以上の説明から明らかなように、本発明にあっては次に列挙するような効果がある。
（１）ガードアームを施錠の位置へと回転した時に受け杆が自動的に突出する。
（２）ガードアームに磁性体が設けられているから、ガードアームの小片化を図ることが容易である。
（３）施錠時以外受け杆装置を構成する部材の一部が前壁から突出しない。したがって、受け杆装置側の突起部（部材）が邪魔にならない。
【図面の簡単な説明】
図１乃至図８は本発明の実施の形態を実施例を用いて説明する各説明図。
【図１】ガードアームが受け杆装置の前壁から離れた状態の斜視図。
【図２】図１に於ける受け杆装置の概略断面説明図。
【図３】主要部の分解斜視図（特に受け杆装置の収納体）。
【図４】主要部の分解斜視図（特にリンク部材）。
【図５】ガードアームを施錠の位置へと回転した状態の斜視図。
【図６】図５於ける受け杆装置の概略断面説明図。
【図７】ガードアームと受け杆装置の関係を示す正面からの説明図。
【図８】要部の概略断面説明図。
【符号の説明】
１…開口枠、２…開閉扉、３…補助錠、４…受け装置、５…ガードアーム、７…挿通部、８…係止長孔部、９…第１磁性体、１１…収納体、１２…前壁、１３…リンク部材、１４…受け杆、１４ａ…頭部、１５…バネ部材、１６…案内箱、１８…可動ピン、１９…レバー、２０…枢支ピン、２１…アーム、２２…第２磁性体、２３…案内長孔、２４…固定軸、２５…支持板、ストッパー。
【図１】
0003677351.tif 000002
【図２】
0003677351.tif 000003
【図３】
0003677351.tif 000004
【図４】
0003677351.tif 000005
【図５】
0003677351.tif 000006
【図６】
0003677351.tif 000007
【図７】
0003677351.tif 000008
【図８】
0003677351.tif 000009